(57)【要約】【課題】パネルの閉塞時における指詰めやパネル部品への悪影響を未然に防止できるようにする。【解決手段】筐体３の右前下部にガイド体４１を取り付けると共に、前面パネル５の右端下部に回転自在にローラ４３を取り付け、前面パネル５の閉塞直前から閉塞状態までの間にローラ４３の周面がガイド体４１に摺接するようにする。更に、緩衝手段としてのロータリーダンパ４５のシャフトをローラ４３の中心軸に一体的に枢支し、前面パネル５の閉塞時にガイド体４１との摺接に伴うローラ４３の回転に対してロータリーダンパ４５により抵抗力（制動力）を生じ、前面パネル５に対する緩衝力を発生させる。【選択図】        図３
2004173705.tif 000002
【特許請求の範囲】
【請求項１】
遊技機筐体に一側が回転自在に支持されて前記筐体の前面を閉塞するパネルを、前記筐体に取り付けるためのパネル開閉機構において、
前記パネルの閉塞方向への回転時に前記パネルに対して緩衝力を与える緩衝手段を備えていることを特徴とする遊技機のパネル開閉機構。
【請求項２】
前記筐体または前記パネルの一方に設けられたガイド体と、前記筐体または前記パネルの他方に回転自在に取り付けられ前記パネルの閉塞直前から閉塞状態までの間にその周面が前記ガイド体に摺接するローラとを備え、
前記緩衝手段が、
前記ローラに一体的に設けられ、前記パネルの閉塞時に前記ガイド体との摺接に伴う前記ローラの回転に対して抵抗力を生じて前記パネルに対する緩衝力を発生するものである
ことを特徴とする請求項１に記載の遊技機のパネル開閉機構。
【請求項３】
前記パネルが、自重により閉塞方向に回転し易いように傾斜して前記筐体に支持され、前記ガイド体が、前記パネルの閉塞時に前記パネルの他側を上動させるような傾斜を有することを特徴とする請求項２に記載の遊技機のパネル開閉機構。
【請求項４】
前記ガイド体が、前記ローラの摺接面にギヤの歯を有し、前記ローラが、その周面に前記ガイド体に噛合するギヤの歯を有することを特徴とする請求項２または３に記載の遊技機のパネル開閉機構。
【請求項５】
前記緩衝手段が、前記ガイド体との摺接に伴う前記ローラの回転速度の大、小に対してその抵抗力を大、小に変化する特性を有するものであることを特徴とする請求項２ないし４のいずれかに記載の遊技機のパネル開閉機構。
【請求項６】
前記緩衝手段が、前記パネルの閉塞時にのみ前記抵抗力を生じるものであることを特徴とする請求項５に記載の遊技機のパネル開閉機構。
【発明の詳細な説明】
【０００１】
【発明の属する技術分野】
この発明は、遊技機筐体に一側が回転自在に支持されて筐体の前面を閉塞するパネルを、筐体に取り付けるための遊技機のパネル開閉機構に関する。
【０００２】
【従来の技術】
一般に、スロットマシンやパチンコ機等の遊技機では、前面が開口した箱状の筐体に、その前面全体を覆う大きさのパネルの一側がヒンジにより回転自在に支持され、このパネルにより筐体の前面が閉塞され、錠前ユニットにより開閉可能にロックされるようになっている。
【０００３】
この種の遊技機におけるパネルの具体例として、例えば特許文献１に記載のようなフロントドアがある。
【０００４】
【特許文献１】
特開平６−２５４２１２号公報（第２頁、図４−６）
【０００５】
【発明が解決しようとする課題】
ところで、このようなパネルの表側には、ゲームの各種操作スイッチ類を始め、メダル払出数を表示する表示部等の表示部やメダル投入口、メダル受け皿等が配設され、裏側には、パネルを内側から照明する蛍光灯や、３つの回転リールの図柄が表示される図柄表示部に投入メダル数に応じた有効ラインを表示するためのＬＥＤ等が配設されているため、パネル自体の重量が非常に重くなっている。
【０００６】
その結果、点検等のためにパネルを開放し、点検終了後にパネルを閉塞する際に、パネルの重量によって勢いがつき、点検作業者がパネルと筐体との間に指を挟むという指詰めが生じるおそれがある。更に、パネルが勢いよく閉じるときの衝撃で、パネルに取り付けられている部品に悪影響が及ぶおそれもある。
【０００７】
このとき、パネルの重量を利用してパネルを閉めやすくするために、パネルを少し傾斜して筐体に支持することもよく行われており、このような場合にはパネルの閉塞時に勢いがつき過ぎて指詰めが生じるおそれが非常に高くなる。
【０００８】
そこで、本発明は、パネルの閉塞時における指詰めやパネル部品への悪影響を未然に防止できるようにすることを目的とする。
【０００９】
【課題を解決するための手段】
上記した目的を達成するために、本発明は、遊技機筐体に一側が回転自在に支持されて前記筐体の前面を閉塞するパネルを、前記筐体に取り付けるためのパネル開閉機構において、前記パネルの閉塞方向への回転時に前記パネルに対して緩衝力を与える緩衝手段を備えていることを特徴としている（請求項１）。
【００１０】
このような構成によれば、緩衝手段により、パネルの閉塞方向への回転時にパネルに対して緩衝力が与えられる。そのため、パネルが勢いよく閉まることがなく、作業者がパネルと筐体との間に指を詰めることを未然に防止でき、パネルが勢いよく閉じるときの衝撃によるパネルに取り付けられている部品への悪影響をも未然に防止することができる。
【００１１】
更に、パネルが強く閉められたときでも、緩衝手段により衝撃を緩和することができて指詰めやパネル部品への悪影響を確実に防止できる。
【００１２】
また、本発明は、前記筐体または前記パネルの一方に設けられたガイド体と、前記筐体または前記パネルの他方に回転自在に取り付けられ前記パネルの閉塞直前から閉塞状態までの間にその周面が前記ガイド体に摺接するローラとを備え、前記緩衝手段が、前記ローラに一体的に設けられ、前記パネルの閉塞時に前記ガイド体との摺接に伴う前記ローラの回転に対して抵抗力を生じて前記パネルに対する緩衝力を発生するものであることを特徴としている（請求項２）。
【００１３】
このような構成によれば、パネルの閉塞時に、ローラのガイド体との摺接に伴う回転に対して、緩衝手段により抵抗力が発生されるため、閉塞時のパネルの勢いを抑制することができ、指詰めやパネルの取付部品への悪影響を未然に防止することができる。
【００１４】
また、本発明は、前記パネルが、自重により閉塞方向に回転し易いように傾斜して前記筐体に支持され、前記ガイド体が、前記パネルの閉塞時に前記パネルの他側を上動させるような傾斜を有することを特徴としている（請求項３）。
【００１５】
このような構成によれば、パネルが自重により閉塞方向に回転し易いように傾斜して筐体に支持されている場合に、ローラが傾斜したガイド体に摺接して回転する際に、緩衝手段により抵抗力が発生されるため、閉塞時のパネルの勢いを効果的に抑制することができる。
【００１６】
また、本発明は、前記ガイド体が、前記ローラの摺接面にギヤの歯を有し、前記ローラが、その周面に前記ガイド体に噛合するギヤの歯を有することを特徴としている（請求項４）。
【００１７】
このような構成によれば、ローラのガイド体との摺接に伴いローラが確実に回転するため、ローラに一体的に設けられた緩衝手段により、閉塞するローラに対して確実に抵抗力を発生することができ、閉塞時のパネルの勢いを抑制して指詰めやパネルの取付部品への悪影響を未然に防止することができる。
【００１８】
また、本発明は、前記緩衝手段が、前記ガイド体との摺接に伴う前記ローラの回転速度の大、小に対してその抵抗力を大、小に変化する特性を有するものであることを特徴としている（請求項５）。このとき、請求項６に記載のように、前記緩衝手段が、前記パネルの閉塞時にのみ前記抵抗力を生じるものであるのが好ましい。
【００１９】
このような構成によれば、閉塞時のパネルの勢いが大きくてガイド体との摺接に伴うローラの回転速度が大きくなっても、緩衝手段が発生する抵抗力も大きくなるため、確実にその勢いを抑制することができて指詰めやパネルの取付部品への悪影響を未然に防止することができる。
【００２０】
更に、請求項６に記載のように、緩衝手段がパネルの閉塞時にのみ抵抗力を生じるようにすると、パネルの開放時には例えローラが回転しても緩衝手段による抵抗力が生じることはなく、パネル開放の邪魔にならず容易に開放することができる。
【００２１】
【発明の実施の形態】
この発明を遊技機であるスロットマシンに適用した場合における一実施形態について図１ないし図４を参照して説明する。但し、図１及び図２はスロットマシンの正面図及び側面図、図３は一部の概略図、図４は他の一部の斜視図である。
【００２２】
本実施形態におけるスロットマシンは、例えば図１及び図２に示すように構成されている。即ち、図１及び図２に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００２３】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２４】
更に、この操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２５】
ところで、前面パネル５は、図２に示すように、自重により閉塞方向に回転し易いように傾斜して筐体３に支持され、しかも、作業者に対して前面パネル５の閉塞をより確実に行わせるために、ほぼ閉塞した状態の前面パネル５が筐体３の前面開口よりも少し下方にずれるように、前面パネル５が筐体３に支持されている。
【００２６】
このように、前面パネル５が自重により閉塞方向に回転し易いように傾斜して筐体３に支持されていることから、点検等のために開放した前面パネル５を閉じる場合に、自重により勢いよく閉じて作業者が指を詰めてしまうおそれがあり、このような指詰めを未然に防止するために、本実施形態では、前面パネル５の閉塞方向への回転時に抵抗力を発生して前面パネル５に対して緩衝力を与える緩衝手段が設けられている。
【００２７】
即ち、図３に示すように、筐体３の右前下部にガイド体４１が取り付けられると共に、前面パネル５の右端下部に回転自在にローラ４３が取り付けられ、前面パネル５の閉塞直前から完全閉塞状態までの間にローラ４３の周面がガイド体４１に摺接するようになっている。ここで、ガイド体４１は、前面パネル５の閉塞時にローラ４３が摺接することで前面パネル５の右側を上動させるような奥方向への上り傾斜を有し、筐体３よりも下方にずれた前面パネル５が上動して筐体３の前面開口を確実に閉塞するように構成されている。また、ガイド体４１のローラ４３の摺接面にはギヤの歯が形成され、ローラ４３の周面には、ガイド体４１の歯に噛合するギヤの歯が形成され、ローラ４３がガイド体４１により確実にガイドされて回転する構造になっている。
【００２８】
そして、緩衝手段としてのロータリーダンパ４５のシャフトがローラ４３の中心軸に一体的に枢支され、前面パネル５の閉塞時にガイド体４１との摺接に伴うローラ４３の回転に対してロータリーダンパ４５により抵抗力を生じ、前面パネル５に対する緩衝力が発生されるようになっている。
【００２９】
このロータリーダンパ４５には、不二ラテックス株式会社製の一方向性ロータリダンパＦＲＮシリーズを用いることができる。ＦＲＮシリーズは、例えば図４に示すように、断面ほぼ凹字状の本体ケースＫと、ケースＫ内に回転可能に収容されたロータＲと、ケースＫ内部の空隙に充填されたシリコンオイルと、シリコンオイルが漏れないようにケースＫの開口を閉塞するキャップＣとを備え、キャップＣを貫通して外部に導出されたロータＲのシャフトＳがローラ４３の中心軸に枢支されている。このとき、ロータＲが一方向に回転したときだけ、ケースＫ内のシリコンオイルの粘性抵抗が作用して制動力（抵抗力）を発生する。
【００３０】
また、ＦＲＮシリーズのロータリーダンパ４５は、ガイド体４１との摺接に伴うローラ４３の回転速度の大、小に対してその抵抗力が大、小に変化する特性を有することから、閉塞時の前面パネル５の勢いが大きくてガイド体４１との摺接に伴うローラ４３の回転速度が大きくなっても、ロータリーダンパ４５が発生する抵抗力（制動力）も大きくなるため、確実に前面パネル５の閉塞時の勢いを抑制することができる。
【００３１】
このように、前面パネル５の閉塞時に、ガイド体４１との摺接に伴うローラ４３の回転に対してシリコンオイルの粘性抵抗が作用するように、ロータリーダンパ４５をローラ４３に取り付けることにより、前面パネル５の閉塞時に前面パネル５に対する緩衝力が発生し、前面パネル５が自重により勢いよく閉じるのを防止できる。一方、ＦＲＮシリーズのロータリーダンパ４５の粘性抵抗は一方向性であるため、前面パネル５の開放時には抵抗力が生じることはなく、パネル開放の邪魔にならず容易に開放することができる。尚、前面パネル５が完全に閉塞すると、図示しない錠前ユニットにより、前面パネル５が開けられないように筐体３にロックされるようになっている。
【００３２】
従って、上記した実施形態によれば、ロータリーダンパ４５により、前面パネル５の閉塞方向への回転時に抵抗力を発生し、前面パネル４５に対して緩衝力が与えられるため、前面パネル５が自重によっても勢いよく閉じてしまうことがなく、作業者が前面パネル５と筐体３との間に指を詰めるのを未然に防止することができる。更に、前面パネル５が強く閉められたときでも、ロータリーダンパ４５により衝撃を確実に緩和することが可能になる。
【００３３】
なお、本発明は上記した実施形態に限定されるものではなく、その趣旨を逸脱しない限りにおいて上述したもの以外に種々の変更を行うことが可能である。
【００３４】
例えば、図５に示すように、前面パネル５及びこれを支持する筐体３のヒンジ側（左側）に、互いに噛合する一対のギヤＧ１，Ｇ２をそれぞれ設け、筐体３側のギヤＧ２に上記したロータリーダンパ４５を取り付けてもよい。
【００３５】
更に、上記した実施形態では、ガイド体４１を筐体３側に、ローラ４３を前面パネル５側に設けた場合について説明したが、ガイド体４１を前面パネル５に、ローラ４３を筐体３側に設けても構わないのは勿論である。
【００３６】
また、上記した実施形態では、ガイド体４１及びローラ４３にギヤ状の歯を形成しているが、特にこのようなギヤの歯を形成する必要はなく、ローラ４３がガイド体４１に確実に摺接すべく、摺接面の摩擦が大きくなるような構成であってもよい。
【００３７】
更に、緩衝手段は、上記したロータリダンパ４５に限定されるものではなく、要するに前面パネル５の閉塞時に前面パネルに緩衝力を発生し得るものであればよい。
【００３８】
また、上記した実施形態では本発明をスロットマシンに適用した例を説明したが、パチンコ機といった他の遊技機にも本発明を適用することができ、その場合にも上記した各実施形態と同等の効果を得ることができる。
【００３９】
【発明の効果】
以上のように、請求項１に記載の発明によれば、緩衝手段により、パネルの閉塞方向への回転時にパネルに対して緩衝力が与えられるため、パネルが勢いよく閉まることがなく、作業者がパネルと筐体との間に指を詰めたり、パネル閉塞時の勢いによるパネル取付部品に悪影響を与えるのを未然に防止することが可能になる。
【００４０】
更に、パネルが強く閉められたときでも、緩衝手段により衝撃を緩和することが可能になる。
【００４１】
また、請求項２に記載の発明によれば、パネルの閉塞時に、ローラのガイド体との摺接に伴う回転に対して、緩衝手段により抵抗力が発生されるため、閉塞時のパネルの勢いを抑制することができ、指詰めやパネルの取付部品への悪影響を未然に防止することが可能になる。
【００４２】
また、請求項３に記載の発明によれば、パネルが自重により閉塞方向に回転し易いように傾斜して筐体に支持されている場合に、ローラが傾斜したガイド体に摺接して回転する際に、緩衝手段により抵抗力が発生されるため、閉塞時のパネルの勢いを効果的に抑制することが可能になる。
【００４３】
また、請求項４に記載の発明によれば、ローラのガイド体との摺接に伴いローラが確実に回転するため、ローラに一体的に設けられた緩衝手段により、閉塞するローラに対して確実に抵抗力を発生することができ、閉塞時のパネルの勢いを抑制して指詰めやパネルの取付部品への悪影響を未然に防止することが可能になる。
【００４４】
また、請求項５に記載の発明によれば、ローラの回転に対する抵抗力が次第に増大するようにしたため、閉塞時のパネルの勢いを確実に抑制することができるため、指詰めやパネルの取付部品への悪影響を未然に防止することが可能になる。
【００４５】
更に、請求項６に記載のように、緩衝手段がパネルの閉塞時にのみ抵抗力を生じるようにすると、パネルの開放時には例えローラが回転しても緩衝手段による抵抗力が生じることはなく、パネル開放の邪魔にならず容易に開放することが可能になる。
【図面の簡単な説明】
【図１】この発明の一実施形態におけるスロットマシンの正面図である。
【図２】この発明の一実施形態におけるスロットマシンの側面図である。
【図３】この発明の一実施形態における一部の概略図である。
【図４】この発明の一実施形態における他の一部の斜視図である。
【図５】この発明の他の実施形態における一部の概略図である。
【符号の説明】
１      スロットマシン（遊技機）
３      筐体
５      前面パネル
４１    ガイド体
４３    ローラ
４５    ロータリーダンパ（緩衝手段）
【図１】
2004173705.tif 000003
【図２】
2004173705.tif 000004
【図３】
2004173705.tif 000005
【図４】
2004173705.tif 000006
【図５】
2004173705.tif 000007